(57)【要約】【課題】  アラーム機能を備えた監視カメラ側ユニットと制御・記録用端末とがネットワークを介して接続されており、アラーム状態での撮像画像データだけを制御・記録用端末へ伝送して記録する遠隔監視システムにおいて、アラームの有効／無効をカレンダー上のスケジュールとして設定できるようにする。【解決手段】  制御・記録用端末５において、監視スケジュール設定に係るダイアログボックスを表示させ、平日や休日等の属性日別に監視不要時間パターンを設定すると共に、属性日単位でカレンダー上の日に対応させて監視不要時間を割り付けたスケジュールを設定する。制御・記録用端末５は監視必要時間／監視不要時間の切り換り時にアラーム有効／無効コマンドを伝送して監視カメラ３の状態を設定する。監視カメラ３はアラーム有効設定でアラーム状態の場合にのみ撮像画像データを制御・記録用端末５へ伝送する。【選択図】図４
2006042222.tif 000002
【特許請求の範囲】
【請求項１】
監視カメラ側ユニットと制御・記録用端末とがネットワークを介して接続された監視システムにおいて、
前記監視カメラ側ユニットは、監視カメラと、アラーム状態を検知してアラーム信号を出力するアラーム手段と、前記アラーム信号を有効又は無効にするための設定情報を記憶する記憶手段とを具備し、前記アラーム手段がアラーム信号を出力した際に、前記記憶手段が前記アラーム信号を有効にする設定情報を記憶している場合にのみ、前記監視カメラによる撮像画像データを前記ネットワークを介して前記制御・記録用端末へ伝送する機能を有していると共に、前記制御・記録用端末から前記ネットワークを介して前記アラーム信号を有効又は無効にするための設定情報が伝送されることにより、前記記憶手段の設定情報を新たに受信した設定情報に書き換える機能を有しており、
前記制御・記録用端末は、入力手段と、前記入力手段の設定操作に基づいて、前記監視カメラによる監視が不要とされる時間帯（以下、「監視不要時間帯」という）が同一である日をまとめて一属性日とし、各属性日をカレンダー上の各日に対応付けることにより前記カレンダー上の各日に前記監視不要時間帯を割り当てるスケジュール設定手段と、少なくとも月・日・時刻を計測するタイマ手段と、このタイマ手段が計測する月・日・時刻が前記スケジュール設定手段によって設定された月・日の前記監視不要時間帯に入っている場合には前記アラーム信号を無効にするための設定情報を、逆に前記監視不要時間帯に入っていない場合には前記アラーム信号を有効にするための設定情報をそれぞれ生成する情報生成手段と
を具備していることを特徴とする監視システム。
【請求項２】
監視カメラ側ユニットと制御・記録用端末とがネットワークを介して接続されており、前記監視カメラ側ユニットが、監視カメラと、アラーム状態を検知してアラーム信号を出力するアラーム手段と、前記アラーム信号を有効又は無効にするための設定情報を記憶する記憶手段とを具備し、前記アラーム手段がアラーム信号を出力した際に、前記記憶手段が前記アラーム信号を有効にする設定情報を記憶している場合にのみ、前記監視カメラによる撮像画像データを前記ネットワークを介して前記制御・記録用端末へ伝送する機能を有していると共に、前記制御・記録用端末から前記ネットワークを介して前記アラーム信号を有効又は無効にするための設定情報が伝送されることにより、前記記憶手段の設定情報を新たに受信した設定情報に書き換える機能を有している監視システムにおいて、
前記制御・記録用端末が、
入力手段と、少なくとも月・日・時刻を計測するタイマ手段とを備えており、
前記入力手段の設定操作によって、前記監視不要時間帯が同一である日をまとめて一属性日とし、各属性日をカレンダー上の各日に対応付けることにより前記カレンダー上の各日に前記監視不要時間帯を割り当てる第１手順と、
前記タイマ手段が計測する月・日・時刻が前記第１手順によって設定された月・日の前記監視不要時間帯に入っている場合には前記アラーム信号を無効にするための設定情報を、逆に前記監視不要時間帯に入っていない場合には前記アラーム信号を有効にするための設定情報をそれぞれ生成して前記監視カメラ側ユニット側へ伝送する第２手順と
を実行することを特徴とする監視システムの制御方法。
【発明の詳細な説明】
【技術分野】
【０００１】
本発明は、アラーム機能を備えた監視カメラ側ユニットと制御・記録用端末とがネットワークを介して接続されており、監視カメラ側ユニットでアラーム状態が検知された場合に監視カメラによる撮像画像データをネットワークを通じて制御・記録用端末側へ伝送して記録させる方式の監視システム及びその制御方法に関する。
【背景技術】
【０００２】
最近、インターネットに対して常時接続が可能な高速回線等の通信インフラの拡充により、ネットワークを介した監視システムが普及しつつある。その監視システムでは、監視カメラ側に異常を検出するためのセンサを設けておき、センサが異常を検出したアラーム状態にのみ監視カメラによる撮像画像データを制御・記録用端末へ伝送する方式が採用されている。
【０００３】
例えば、入退室の監視システムにおいては、監視カメラが出入口を視界に収めるように設置されており、ドアの開閉を検知するセンサの信号が検出されると、その時点から所定時間だけ監視カメラによる撮像画像データをネットワークを通じて制御・記録用端末側へ伝送し、制御・記録用端末側でその画像データをハードディスク等に記録すると共に監視映像として表示させるようになっている。
【０００４】
その場合、一般的に監視カメラ側ではハードウェアやソフトウェア面での制約を受けるために自律的な機能を持たせることが困難であり、制御・記録用端末側からのアクセスによってアラームの有効／無効の切換え設定や撮像エリアの調整等を行うようになっている場合が多い。また、この種の遠隔監視システムに関しては、下記特許文献１，２等において各種の提案がなされている。
【０００５】
【特許文献１】特開平９−７４５９２号公報
【特許文献２】特開平１１−３５５７６１号公報
【発明の開示】
【発明が解決しようとする課題】
【０００６】
ところで、監視システムで店舗や事務所等を監視する場合において、開店・就労時間内は店員や事務員の内の誰かが居るために監視の必要性が少ないが、閉店・退所後の無人状態では不審者の侵入があるか否かを監視する必要がある。また、平日は閉店・退所後に監視するだけでよいが、休日は昼夜を問わず常時監視する必要がある。そして、開店・就労時間や閉店日が何曜日に設定されているか等は個々の店舗や事務所等によって異なっている。
【０００７】
一方、前記のように、従来の監視システムではセンサがアラーム状態を検知した場合には常に撮像画像データを制御・記録用端末側へ伝送するようになっており、制御・記録用端末側からはそのアラーム信号の有効／無効だけを設定することができるに留まっている。従って、監視が必要な時間帯を個別の事情に対応させるためには制御・記録用端末側から予めアラーム信号の有効／無効を切り換え設定しておく必要があるが、その設定操作を忘れてしまうことが多く、監視が不要な時間帯の画像データをハードディスクに大量に記録させたり、逆に監視が必要であるにも拘わらず監視システムが機能していないようなミスが生じやすい。
【０００８】
そこで、本発明は、前記の問題点に鑑みて、制御・記録用端末側からアラーム信号が有効／無効とされる時間帯をカレンダー上のスケジュールとして自由に設定できるようにし、使い勝手に優れた監視システムを提供することを目的として創作された。
【課題を解決するための手段】
【０００９】
本発明は、監視カメラ側ユニットと制御・記録用端末とがネットワークを介して接続された監視システムにおいて、前記監視カメラ側ユニットは、監視カメラと、アラーム状態を検知してアラーム信号を出力するアラーム手段と、前記アラーム信号を有効又は無効にするための設定情報を記憶する記憶手段とを具備し、前記アラーム手段がアラーム信号を出力した際に、前記記憶手段が前記アラーム信号を有効にする設定情報を記憶している場合にのみ、前記監視カメラによる撮像画像データを前記ネットワークを介して前記制御・記録用端末へ伝送する機能を有していると共に、前記制御・記録用端末から前記ネットワークを介して前記アラーム信号を有効又は無効にするための設定情報が伝送されることにより、前記記憶手段の設定情報を新たに受信した設定情報に書き換える機能を有しており、前記制御・記録用端末は、入力手段と、前記入力手段の設定操作に基づいて、前記監視カメラによる監視が不要とされる時間帯（以下、「監視不要時間帯」という）が同一である日をまとめて一属性日とし、各属性日をカレンダー上の各日に対応付けることにより前記カレンダー上の各日に前記監視不要時間帯を割り当てるスケジュール設定手段と、少なくとも月・日・時刻を計測するタイマ手段と、このタイマ手段が計測する月・日・時刻が前記スケジュール設定手段によって設定された月・日の前記監視不要時間帯に入っている場合には前記アラーム信号を無効にするための設定情報を、逆に前記監視不要時間帯に入っていない場合には前記アラーム信号を有効にするための設定情報をそれぞれ生成する情報生成手段とを具備していることを特徴とする監視システムに係る。
【００１０】
そして、本発明の監視システムは、前記制御・記録用端末側で、前記入力手段の設定操作によって、前記監視不要時間帯が同一である日をまとめて一属性日とし、各属性日をカレンダー上の各日に対応付けることにより前記カレンダー上の各日に前記監視不要時間帯を割り当てる第１手順と、前記タイマ手段が計測する月・日・時刻が前記第１手順によって設定された月・日の前記監視不要時間帯に入っている場合には前記アラーム信号を無効にするための設定情報を、逆に前記監視不要時間帯に入っていない場合には前記アラーム信号を有効にするための設定情報をそれぞれ生成して前記監視カメラ側ユニット側へ伝送する第２手順とを実行することにより制御される。
【００１１】
本発明によれば、制御・記録用端末側において、監視カメラ側ユニットでアラーム信号を有効とみなすか無効とみなすかの時間帯を、属性日単位でカレンダー上に自由に設定することができる。即ち、少なくとも１年間分の各日における前記時間帯のスケジュールを予め設定しておいて、監視が必要な時間帯でアラーム状態となった場合にのみ監視画像データを記録用端末に記録させることができる。尚、本発明において「属性日」は前記のように定義されるが、例えば、「平日」、「休日」、「午前のみ」、「午後のみ」、「Ｘ曜日（Ｘは月〜土）」等のように自由に属性を設定できる。
【発明の効果】
【００１２】
本発明は、監視カメラ側ユニットと制御・記録用端末とがネットワークを介して接続された監視システムにおいて、監視カメラ側ユニットにおいてアラーム信号を有効とみなすか無効とみなすかの時間帯を制御・記録用端末からカレンダー上のスケジュールとして属性日単位で設定できるようにし、従来の監視システムように逐一設定操作を行わなければならない不便さをなくすると共に、設定操作のし忘れによって不要な画像データが大量に記録されたり、必要な場合に監視画像を記録できていない等の不具合が発生することをなくする。また、各属性日単位でスケジュールを設定できるようにしているため、その設定操作が極めて簡単である。更に、本発明は従来の監視システムに対してソフトウェアを付加・変更するだけで適用が可能であり、低コストで使い勝手の良いシステムに改良できるという利点を有している。
【発明を実施するための最良の形態】
【００１３】
以下、本発明の監視システム及び監視システムの制御方法の実施形態を図面に基づいて詳細に説明する。先ず、図１は監視システムのネットワーク構成図であり、インターネット１を介して監視カメラ側ユニット２-１〜ｎと制御・記録用端末５が接続されている。ここで、各監視カメラ側ユニット２-１〜ｎはそれぞれ監視カメラ３-１〜ｎとセンサ４-１〜ｎとからなり、各監視エリアに配備されているものである。但し、この実施形態の監視システムは事業所の各室について制御・記録用端末５側から遠隔監視を行うシステムであり、センサ４-１〜ｎは各室の出入口にある扉の開放を検知するものである。尚、各監視カメラ側ユニット２-１〜ｎの基本的構成は同様であるため、以下においては、代表的に「監視用カメラ側ユニット２」、「監視カメラ３」、「センサ４」とした符号の用い方によって説明する。
【００１４】
監視カメラ３は図２に示す構成を有している。同図において、３１は対物レンズ等の光学系、３２はＣＣＤ等の素子を含む撮像部、３３は撮像画像データを圧縮する圧縮処理部、３４はインターネット１を介して制御・記録用端末５側との通信を実行するネットワークＩ/Ｆ、３５はセンサ４の信号を取り込むセンサＩ/Ｆ、３６はこの監視カメラ３自体の制御プログラムとアラーム信号の有効／無効に係るフラグを格納するメモリ、３７はＣＰＵ、３８はバスラインであり、この監視カメラ３のシステム全体はＣＰＵ３７がメモリ３６に格納されている制御プログラムを実行することにより制御される。
【００１５】
一方、制御・記録用端末５は、図１に示すようにパーソナルコンピュータで構成されているが、この実施形態に関連した部分の基本的構成は図３に示される。同図において、５１はインターネット１を介して監視カメラ３側との通信を実行するネットワークＩ/Ｆ、５２は受信した圧縮画像データを復号する伸長処理部、５３は制御プログラムを格納していると共に画像データが記録されるハードディスク装置（ＨＤＤ）、５４はメモリ、５５はキーボード・マウス５５aからの入力信号を取り込む入力Ｉ/Ｆ、５６は画像信号をモニタ５６aに再生表示させる表示Ｉ/Ｆ、５７はＣＰＵ、５８はバスラインであり、この制御・記録用端末５のシステム全体はＣＰＵ５７がＨＤＤ５３に格納されている制御プログラムをメモリ５４へ読み出して実行することにより制御される。
【００１６】
次に、制御・記録用端末５における監視スケジュールの設定手順を図４のフローチャートを参照しながら説明する。先ず、キーボード・マウス５５aから監視スケジュール設定モードが設定されると、ＨＤＤ５３に格納されている監視スケジュール設定プログラムがメモリ５４へ読み出されて実行されることにより、モニタ５６aに図５のような監視スケジュール設定のダイアログボックスが表示される（S1,S2）。そして、同図における「各カメラ設定」のタブを選択して監視スケジュールを設定する監視カメラ側ユニット２を指定する（S3,S4）。尚、図５は「各カメラ設定」のタブを選択した際の表示内容ではなく、「非録画時間パターン設定」のタブを選択した際の表示内容になっている。
【００１７】
次に「非録画時間パターン設定」のタブを選択するとダイアログボックスは図５に示した表示内容になり、キーボード・マウス５５aからの操作入力によって、日の属性別にその１日（２４時間）における非録画時間パターンの設定を行う（S5,S6）。ここでは、「平日」と「休日」の２種類の属性日を設け、平日の８時００分から２０時００分までの時間帯は監視対象である室内に誰かが居るために監視不要時間帯とみなし、録画停止時刻と録画開始時刻にそれらの時刻を入力してすることにより非録画時間パターンの設定を行っている。一方、休日については、アラーム発生時の監視が一日中必要であるため、入力画面の下側に記載されているガイダンスに基づいて時刻を未設定にすることにより、アラーム発生時の常時録画を設定している。そして、キーボード・マウス５５aからの操作入力によって図５のダイアログボックス中の「登録」ボタンをＯＮにすると、各属性日についての非録画時間パターンデータが図６に示すようなdata.iniファイルとしてＨＤＤ５３に登録・保存される(S7,S8)。
【００１８】
前記登録・保存が完了すると、「パターン年間スケジュール設定」のタブを選択する（S9）。すると、ダイアログボックスは図７に示すような表示内容に切り換り、１ケ月分のカレンダー表示と属性日の種別が表示される。そして、例えば、属性日の「休日」をマウス５５aで指定した後、カレンダー側の各日をクリックしてカレンダー上に「休日」を対応させてゆくと、属性日としての「休日」に設定されている非録画時間パターンが各日に割り付けられる。また、カレンダー側の表示はその上段に設けられた西暦年度と月の切り換え欄をマウス５５aでクリック操作すれば他の年度や月の表示にすることができ、その表示された年月についても同様に属性日を割り付けてゆくことができる。
【００１９】
前記の割り付けのための操作が完了した後、「登録」ボタンをＯＮにすると、カレンダー上でのスケジュールデータが図８に示すようなdata.iniファイルとしてＨＤＤ５３に登録・保存される(S11,S12)。但し、図８において、[2004]は2004年を、[X=]（Xは1〜12）はX月を、“0”は「平日」を、“1”は「休日」を示し、「平日」の“0”に対しては図６のdata.iniファイルにおけるP1=8:0,20:0が対応付けられ、「休日」の“1”にはP2=（時刻が示されていないが「0:0,24:0」を意味する）が対応付けられている。
【００２０】
以上は属性日が「平日」と「休日」の２種類の場合について説明したが、属性日が「平日」、「休日」、「午前」(就業時間が午前中のみの日)、「午後」(就業時間が午後のみの日)及び「平日短」(平日であるが就業時間が短い日)の５種類の場合には、「非録画時間パターン設定」のダイアログボックスは図９に示した表示内容になり、そのdata.iniファイルは図１０に示すような内容で登録・保存される。そして、その場合における「パターン年間スケジュール設定」のダイアログボックスの表示内容は図１１のようになり、属性日の欄には色分けされた各属性日の部分をマウス５５aで指定してカレンダー側の日に対応付けてゆくと、カレンダー側の日の色が同色に変化して属性日の非録画時間パターンが割り付けられてゆく。また、割り付け操作の完了後、「登録」ボタンをＯＮにすると、カレンダー上でのスケジュールデータが図１２に示すようなdata.iniファイルとしてＨＤＤ５３に登録・保存されることになる。尚、図１２において、“0”が「平日」を、“1”が「休日」を示すことは図８の場合と同様であるが、“2”は「午前」を、“3”は「午後」を、“4”は「平日短」を示し、それぞれ図９で設定・登録して得られた図１０のdata.iniファイルに基づいた非録画時間パターンが割り付けられる。
【００２１】
このようにしてカレンダー上でのスケジュールデータがＨＤＤ５３に登録・保存されると、制御・記録用端末５は監視カメラ３に対してアラームの有効／無効の設定を行う。その場合、コスト面から監視カメラ３には必要最小限のメモリを持たせておくのが一般的であり、何年分ものスケジュールデータを一挙に伝送することはできない。そこで、この監視システムでは、図１３及び図１４のフローチャートに示す手順によって監視カメラ３におけるアラームの有効／無効を自動的に逐次切り換えてゆくようになっている。
【００２２】
先ず、図１３を参照して、制御・記録用端末５では内部時計又はインターネット１上のタイムサーバから現在の年月日・時刻データを取得する（S21）。そして、ＨＤＤ５３のスケジュールデータからその年月日に対応する非録画時間パターンを検出し、現在の時刻が非録画時間内にあるか否かを確認する（S22,S23）。即ち、図８に示したdata.iniファイルのデータを参照して、取得した前記年月日・時刻データの日が平日か休日かを確認し、図６に示したdata.iniファイルのデータに基づいて、その属性日に設定されている非録画時間帯に現在の時刻が含まれているか否かを判断する。
【００２３】
その結果、現在の時刻が非録画時間内であればインターネット１を通じてアラーム無効コマンドをネットワークＩ/Ｆ５１へ読み出して監視カメラ３へ伝送し、逆に現在の時刻が非録画時間外であればアラーム有効コマンドを監視カメラ３へ伝送する（S23,S24,S25）。尚、各コマンドはそれぞれメモリ５４に読み出されている監視スケジュール設定プログラムにセットされているものである。
【００２４】
前記の初期動作でのコマンド伝送が完了した後は、制御・記録用端末５ではＨＤＤ５３に登録させたスケジュールデータに基づいて次に非録画／録画時間帯が切り換る年月日・時刻データが得られるため、そのデータをメモリ５４にセットしておいて内部時計がカウントする年月日・時刻との比較を継続的に実行する（S26）。そして、内部時計の現在時刻がセットした年月日・時刻になった時点で、切り換り後の設定コマンドをネットワークＩ/Ｆ５１へ読み出してインターネット１を通じて監視カメラ３へ伝送する（S27,S28）。また、それ以降においてもステップS26からステップS28の手順を繰り返す（S28→S26〜S28）。従って、スケジュールデータにおいて非録画時間帯から録画時間帯へ切り換る際にはアラーム有効コマンドが、逆に録画時間帯から非録画時間帯へ切り換る際にはアラーム無効コマンドが伝送されることになる。尚、継続的に実行されるステップ（S28→S26〜S28）は、前述した初期動作のステップ（S22〜S25）と同じモジュールを用いて実行することが可能である。その場合、ステップS28に対応するステップS24及びS25のコマンド伝送のルーチンにより、ステップS27に対応するステップS23の判定がYESからNO、又はNOからYESに変化したときのみ設定コマンドを伝送するように各モジュールが実行される。
【００２５】
一方、前記の各コマンドの伝送を受ける監視カメラ３では、図１４に示すように、制御・記録用端末５側から伝送された設定コマンドをネットワークＩ/Ｆ３４で受信すると（S31）、それがアラーム無効コマンドであるか否かを確認し（S32）、アラーム無効コマンドである場合にはメモリ３６のフラグをＯＦＦに設定し（S33）、逆にアラーム有効コマンドである場合にはメモリ３６のフラグをＯＮに設定する（S34）。
【００２６】
以上のように、制御・記録用端末５側が予め作成したスケジュールデータに基づいて、監視カメラ３におけるアラームの有効／無効の設定が逐次なされてゆくことになるが、監視システムの本来的動作は図１５のフローチャートに示す手順に基づいて実行される。先ず、監視カメラ３では、ＣＰＵ３７がセンサＩ/Ｆ３５にセンサ４の検知信号が入力されるか否かを常時監視しており、その信号が検出されると直ちにメモリ３６のフラグを確認する（S41,S42）。ここに、センサ４の検知信号は上記のように室の出入口にある扉の開放が検知された場合に出力される信号であり、入室者があったことを示すものである。
【００２７】
そして、メモリ３６のフラグがＯＦＦになっていた場合には、監視カメラ３は撮像状態になっているだけで、撮像画像データを制御・記録用端末５側へ伝送することは行わない（S43→S41）。即ち、フラグがＯＦＦであることは、その日が図７及び図８における「平日」であり、且つその時刻が図５及び図６における8:0〜20:0の時間帯内であること（非録画時間帯であること）を意味し、監視対象である室には従業員が居るために、あえて撮像画像を収録しておく必要がないからである。
【００２８】
一方、メモリ３６のフラグがＯＮになっていた場合は監視が必要な時間帯であるため、監視カメラ３は直ちにアラーム信号をネットワークＩ/Ｆ３４へ読出し、インターネット１を通じて制御・記録用端末５側へ伝送する（S43,S44）。そして、そのアラーム信号をネットワークＩ/Ｆ５１で受信した制御・記録用端末５では画像データの受信準備を行う（S51,S52）。
【００２９】
また、監視カメラ３は、アラーム信号の伝送した後、撮像部３２から得られる撮像画像データを圧縮処理部３３で圧縮し、その圧縮後の撮像画像データをネットワークＩ/Ｆ５１からインターネット１を通じて制御・記録用端末５側へ１０分間だけ伝送する（S45,S46）。制御・記録用端末５では既に受信準備が完了しており、撮像画像データをネットワークＩ/Ｆ５１で受信するとそれをＨＤＤ５３へ転送して格納させる（S53）。尚、制御・記録用端末５側に監視員が常駐している場合には、撮像画像データを表示Ｉ/Ｆ５６に転送してモニタ５６aに表示させてもよい。
【００３０】
このようにして、監視カメラ３の１０分間にわたる撮像画像が制御・記録用端末５のＨＤＤ５３に録画されると、監視カメラ３は伝送終了コードを制御・記録用端末５側へ送信して撮像画像データの伝送を停止し、伝送終了コードを受信した制御・記録用端末５が受信終了処理を行って、監視カメラ３と制御・記録用端末５の双方が元の状態に戻る（S46〜S48→S41,S54→S51）。
【００３１】
尚、この実施形態では制御・記録用端末５によって監視カメラ３の制御設定と撮像画像データの収録を行うようになっているが、制御用端末と記録用端末をインターネット１に対して別々に配置接続させておき、制御用端末が図４と図１３で示されている機能を実行し、記録用端末が図１５における制御・記録用端末５側の機能を実行するようにしてもよい。また、以上の説明では、監視カメラ側ユニット２として複数の監視カメラ側ユニット２-１〜ｎを代表させているが、多重化された通信回線を用いていることにより、制御・記録用端末５は各監視カメラ側ユニット２-１〜ｎとの関係において同様の制御設定と撮像画像データの受信を並行して実行できる。
【産業上の利用可能性】
【００３２】
本発明は、アラーム機能を備えた監視カメラ側ユニットと制御・記録用端末とがネットワークを介して接続された遠隔監視システムであって、アラーム状態の場合が検知された場合にのみ撮像画像データを収録するシステムに適用できる。
【図面の簡単な説明】
【００３３】
【図１】本発明の実施形態に係る監視システムのネットワーク構成図である。
【図２】監視カメラのシステム回路図である。
【図３】制御・記録用端末のシステム回路図である。
【図４】制御・記録用端末における監視スケジュール設定手順を示すフローチャートである。
【図５】監視スケジュール設定のダイアログボックスにおいて非録画時間パターン設定のタブを選択した際の表示内容を示す図である。
【図６】図５に示す属性日と録画時間パターンの設定条件でのdata.iniファイルのデータ内容を示す図である。
【図７】監視スケジュール設定のダイアログボックスにおいてパターン年間スケジュール設定のタブを選択した際の表示内容を示す図である。
【図８】図７に示すスケジュールの設定条件でのdata.iniファイルのデータ内容を示す図である。
【図９】監視スケジュール設定のダイアログボックスにおいて非録画時間パターン設定のタブを選択した際の表示内容（図５とは別の事例）を示す図である。
【図１０】図９に示す属性日と録画時間パターンの設定条件でのdata.iniファイルのデータ内容を示す図である。
【図１１】監視スケジュール設定のダイアログボックスにおいてパターン年間スケジュール設定のタブを選択した際の表示内容（図９に示した属性日設定の場合）を示す図である。
【図１２】図１１に示すスケジュールの設定条件でのdata.iniファイルのデータ内容を示す図である。
【図１３】制御・記録用端末による監視カメラに対するアラームの有効／無効の設定手順を示すフローチャートである。
【図１４】監視カメラにおけるアラームの有効／無効の設定手順を示すフローチャートである。
【図１５】監視システムの動作状態を示すフローチャートである。
【符号の説明】
【００３４】
１…インターネット、２-１〜ｎ…監視カメラ側ユニット、３-１〜ｎ…監視カメラ、４-１〜ｎ…センサ、５…制御・記録用端末、３１…光学系、３２…撮像部、３３…圧縮処理部、３４，５１…ネットワークＩ/Ｆ、３５…センサＩ/Ｆ、３６，５４…メモリ、３７，５７…ＣＰＵ、３８，５８…バスライン、５２…伸長処理部、５３…ハードディスク装置（ＨＤＤ）、５５…入力Ｉ/Ｆ、５５a…キーボード・マウス、５６…表示Ｉ/Ｆ、５６a…モニタ。
【図１】
2006042222.tif 000003
【図２】
2006042222.tif 000004
【図３】
2006042222.tif 000005
【図４】
2006042222.tif 000006
【図５】
2006042222.tif 000007
【図６】
2006042222.tif 000008
【図７】
2006042222.tif 000009
【図８】
2006042222.tif 000010
【図９】
2006042222.tif 000011
【図１０】
2006042222.tif 000012
【図１１】
2006042222.tif 000013
【図１２】
2006042222.tif 000014
【図１３】
2006042222.tif 000015
【図１４】
2006042222.tif 000016
【図１５】
2006042222.tif 000017